(57)【要約】【課題】使用者の顔を満遍なく照らすことができる照明付き卓上鏡を提供する。【解決手段】ベース本体１０の装着部に鏡１１を装着し、この鏡１１を、ベース部材１０と鏡枠１２とによって挟み込んで保持する。ベース部材１０の額縁状のＬＥＤカバー２０の裏面側における、鏡１１周囲に、多数のＬＥＤ１３を配設する。使用に際し、ＬＥＤ１３を点灯させることで、顔を満遍なく照射することができ、顔の表面の状態が明確になるので、例えば、化粧を上手に行うことができる。【選択図】図２
0003128223.tif 000002
【実用新案登録請求の範囲】
【請求項１】
鏡と、
前記鏡が装着される装着部を有するベース部材と、
前記ベース部材における前記鏡の周囲に配設されて顔を照射する照明具と、を備えた、
ことを特徴とする照明付き卓上鏡。
【請求項２】
前記照明具が前記ベース部材における鏡の全周に渡って配設されている、
ことを特徴とする請求項１に記載の照明付き卓上鏡。
【請求項３】
前記照明具が複数の点光源によって構成されている、
ことを特徴とする請求項２に記載の照明付き卓上鏡。
【請求項４】
前記点光源の光量を調整する調整機構を有する、
ことを特徴とする請求項３に記載の照明付き卓上鏡。
【請求項５】
前記点光源の光を分散させる導光板を有し、前記導光板が複数の四角錐状の凸部を有する、
ことを特徴とする請求項３又は４に記載の照明付き卓上鏡。
【請求項６】
前記ベース部材に対して着脱自在に装着されて前記鏡を前記装着部に取り付ける枠状の鏡枠を備える、
ことを特徴とする請求項１ないし５のいずれか１項に記載の照明付き卓上鏡。
【請求項７】
ベース部材を載置面に載置した際の前記ベース部材の角度を調整するスタンドを有する、
ことを特徴とする請求項１ないし６のいずれか１項に記載の照明付き卓上鏡。
【請求項８】
前記点光源がＬＥＤである、
ことを特徴とする請求項３ないし７のいずれか１項に記載の照明付き卓上鏡。
【考案の詳細な説明】
【技術分野】
【０００１】
本考案は、鏡の周囲に配設した照明具によって顔を照らすことができる照明付き卓上鏡に関する。
【背景技術】
【０００２】
例えば、女性が化粧をはじめとするフェイスケアを施す場合、洗面所の大鏡や、寝室の三面鏡を使用する外に、卓上鏡を使用することがある。この卓上鏡を机や食卓に載置して使用することになる。
このような卓上鏡のうち、特許文献１には、角度及び高さの調整が可能なものが提案されている。これにより、卓上鏡を好適な位置に、位置調整して、フェイスケアを行うことができる。
【特許文献１】特開２００２−３６９７３８号公報
【考案の開示】
【考案が解決しようとする課題】
【０００３】
しかしながら、卓上鏡を机上等に載置して使用する場合、たとえ特許文献１のように、角度及び高さを調整できたとしても、部屋の照明が必ずしも化粧等に好適な状態で当たるわけではない。例えば、光量が不足したり、顔の左右の一方の面のみに当たって他方の面が暗かったりする。このような場合、所望の化粧等を上手に行うことができないという問題があった。
【０００４】
そこで、本考案は、顔に満遍なく光が当たるようにして、化粧等を上手に行うことができる照明付き卓上鏡を提供することを目的とするものである。
【課題を解決するための手段】
【０００５】
請求項１に係る考案は、照明付き卓上鏡に関する。この考案に係る照明付き卓上鏡は、鏡と、前記鏡が装着される装着部を有するベース部材と、前記ベース部材における前記鏡の周囲に配設されて顔を照射する照明具と、を備えた、ことを特徴としている。
【０００６】
請求項２に係る考案は請求項１に係る照明付き卓上鏡において、前記照明具が前記ベース部材における鏡の全周に渡って配設されている、ことを特徴としている。
【０００７】
請求項３に係る考案は、請求項２に係る照明付き卓上鏡において、前記照明具が複数の点光源によって構成されている、ことを特徴としている。
【０００８】
請求項４に係る考案は、請求項３に係る照明付き卓上鏡において、前記点光源の光量を調整する調整機構を有する、ことを特徴としている。
【０００９】
請求項５に係る考案は、請求項３又は４に係る照明付き卓上鏡において、前記点光源の光を分散させる導光板を有し、前記導光板が複数の四角錐状の凸部を有する、ことを特徴としている。
【００１０】
請求項６に係る考案は、請求項１ないし５のいずれか１項に係る照明付き卓上鏡において、前記ベース部材に対して着脱自在に装着されて前記鏡を前記装着部に取り付ける枠状の鏡枠を備える、ことを特徴としている。
【００１１】
請求項７に係る考案は、請求項１ないし６のいずれか１項に係る照明付き卓上鏡において、ベース部材を載置面に載置した際の前記ベース部材の角度を調整するスタンドを有する、ことを特徴としている。
【００１２】
請求項８に係る考案は、請求項３ないし７のいずれか１項に係る照明付き卓上鏡において、前記点光源がＬＥＤである、ことを特徴としている。
【考案の効果】
【００１３】
請求項１の考案によると、鏡が装着されるベース部材には、鏡の周囲に照明具が配設されているので、鏡を覗く自分の顔を、照明具によって良好に照らすことができる。
【００１４】
請求項２の考案によると、照明具が鏡の全周に渡って配設されているので、顔全体を満遍なく照らすことができる。
【００１５】
請求項３の考案によると、点光源を使用することで、必要最小限の個数で照明具を構成することが可能である。
【００１６】
請求項４の考案によると、部屋の明るさ等に応じて、顔の照度を細かく調整することができる。
【００１７】
請求項５の考案によると、複数の四角錐状の凸部のある導光板を有しているので、点光源からの光を分散させて、顔全体を、一層、満遍なく照射することができる。
【００１８】
請求項６の考案によると、例えば、鏡が割れた場合、鏡枠を外すだけで、簡単に鏡を交換することができる。
【００１９】
請求項７の考案によると、自分の顔に合わせて、鏡の角度を変えることができる。
【００２０】
請求項８の考案によると、消費エネルギーを抑制して、超寿命化を図ることができる。
【考案を実施するための最良の形態】
【００２１】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２２】
図１〜図７を参照して、本考案に係る照明付き卓上鏡１の一例を説明する。このうち、図１は、照明付き卓上鏡１を載置面Ｓに載置した状態を示す斜視図である。図２（ａ）は、照明付き卓上鏡１の正面図、また、図２（ｂ）は、照明付き卓上鏡１の右側面図である。図３は、ベース部材１０に鏡１１を装着するようすを説明する斜視図である。図４は、ベース部材１０に鏡枠１２を取り付けて、鏡を固定するようすを説明する斜視図である。図５は、（ａ），（ｂ）は、ＬＥＤ１３を説明する図である。図６（ａ）〜（ｄ）は、鏡枠１２Ａを着脱するための他の構成を説明する斜視図である。図７は、鏡枠１２Ｂを着脱するためのさらに別の構成を説明する斜視図である。
【００２３】
図１，図２に示すように、照明付き卓上鏡１は、ベース部材１０と、鏡１１と、鏡枠１２と、照明具を構成する点光源としてのＬＥＤ１３と、を備えている。
【００２４】
このうちベース部材１０は、ほぼ長方形の板状に形成されており、図３，図４に示すように、正面側には、額縁状に形成されたＬＥＤカバー２０を有していて、このＬＥＤカバー２０の内周側には、鏡１１及び鏡枠１２が取り付けられる装着部２１を有している。また、図３に示すように、ベース部材１０の正面側における、装着部２１よりも後側に位置する箇所には、対角線状にリブ２２が設けられ、また中央には環状のリブ２３が形成されている。環状のリブ２３の下方には、電池を保持するためのホルダ２４が形成されている。図２に示すように、ＬＥＤカバー２０の裏面側に、ＬＥＤ１３が配設されている。図５（ａ）に示すように、ＬＥＤカバー２０の裏面（ＬＥＤ１３側）が平坦な場合には、ＬＥＤ１３から発せられた光Ｌはそのまま、まっすぐに進むため、照射範囲が狭くなる。そこで、本実施形態では、図５（ｂ）に示すように、ＬＥＤカバー２０の裏面に凹凸２５を設けて光Ｌを分散させ、光Ｌの照射範囲が広くなるようにした。これにより、少ない数のＬＥＤで、顔をムラなく照射することが可能となる。図１，図２に示すように、ベース部材１０の右側における高さ方向の中央よりも少し下の位置には、ＬＥＤ１３の光量を調整するためのダイヤル２６が回転自在に配設されている。また、ベース部材１０の裏面（背面）には、スタンド２７が取り付けられている。
【００２５】
スタンド２７は、ベース部材１０の裏面における左右方向の中央で、かつ上下方向のほぼ中央に配置された受け部２８によって揺動可能に支持された脚板３０と、ベース部材１０の裏面における左右方向の中央で、かつ上下方向の下端近傍に配置された受け部３１によって揺動可能に支持された支持板３２とを有している。支持板３２の先端側（図２（ｂ）中の右側）における上面には、凹凸３３が形成されている。この凹凸３３に、脚板３０の先端（下端）を係合させることで、スタンド２７を構成し、ベース部材１０の下端縁と、支持板３２の先端とを、机上等の載置面Ｓに載置することで、照明付き卓上鏡１全体を載置面Ｓ上にセットすることができる。ここで、凹凸３３に対する脚板３０の先端の係合位置を変更することで、載置面Ｓに対するベース部材１０の角度、ひいては鏡１１の角度を調整することができる。例えば、係合位置が、支持板３２の基端部に近いほど、載置面Ｓに対する傾斜角度が急になり、逆に、係合位置が、支持板３２の先端部に近いほど、載置面Ｓに対する傾斜角度を緩くなる。
【００２６】
鏡１１は、上述のベース部材１０の装着部２１にちょうど嵌まるように、長方形状に形成されている。鏡１１は、ベース部材１０に装着するための特別な構造は、有しておらず、次に説明する鏡枠１２によって、ベース部材１０との間に挟みこまれて保持されるようになっている。
【００２７】
鏡枠１２は、上述のベース部材１０の装着部２１にちょうど嵌まる額縁状に形成されている。鏡枠１２の右側部及び左側部には、それぞれの上部と下部とに、図４中の拡大図Ｂに示すようなフック３５が設けてある（ただし、図４で歯、右側部の２個のフック３５のみを図示）。一方、ベース部材１０の装着部２１には、フック３５に対応する位置のそれぞれに、図４中の拡大図Ａに示すような凹部３４が設けてある。図３に示すように、ベース部材１０の装着部２１に鏡１１を装着し、さらに、図４に示すように、ベース部材１０側の凹部３４に、鏡枠１２側のフック３５を係合させることにより、ベース部材１０と鏡枠１２との間に鏡１１を挟み込んで保持することができる。逆に、凹部３４に対するフック３５の係合を解除することにより、鏡枠１２及び鏡１１を簡単にベース部材１０から取り外すことができる。なお、鏡枠１２として、種々の色のものを準備して、適宜、着せ替えるように交換すれば、趣の異なった照明付き卓上鏡１を構成することができる。また、鏡枠１２として、装飾を施したものを使用することもできる。このように、鏡枠１２をベース部材１０に対して着脱可能に構成することにより、鏡枠１２のデザインの多様化に対応することができる。
【００２８】
点光源としてのＬＥＤ１３は、本実施形態では、図２に示すように、ＬＥＤカバー２０の上端部２０ａ及び下端部２０ｂの裏面側に、左右方向に等間隔で５個並べ、また、ＬＥＤカバー２０の左端部２０ｃ及び右端部２０ｄの裏面側に、上下方向に等間隔で６個並べた。なお、上述の図５（ｂ）に示すように、ＬＥＤカバー２０の裏面には、ＬＥＤ１３からの光を拡散させるために、凹凸２５が設けてある。なお、ＬＥＤ１３の配設個数や、配設間隔については、顔を満遍なく照射することができることを条件に、任意に設定することが可能である。例えば、ＬＥＤ１３の配設個数を上端部２０ａと下端部２０ｂとで異ならせたり、隣接する２個のＬＥＤ１３間の距離を異ならせたりすることも可能である。なお、本実施形態で使用する鏡１１の大きさとしては、顔よりも一回り大きいサイズが好適である。これは、鏡１１を覗く込むことにより、一目で顔全体を見渡すことができるからである。
【００２９】
上述構成の照明付き卓上鏡１は、スタンド２７を立てて、載置面上にセットし、さらに、顔に合わせて、スタンド２７を調整することで、ベース部材１０を介して鏡１１を好適な角度にセットすることができる。そして、ダイヤル２６を回してスイッチオンしてＬＥＤ１３を点灯させることで、顔を満遍なく照射することができるので、例えば、化粧等に使用する場合には、上手に化粧をすることができる。また、ダイヤル２６の回転角度を調整することで、ＥＤ１３の光量を調整することができるので、例えば、室内の明るさや、日光の差し込み具合に応じて、好適な光量を選択することができる。
ここで、ＬＥＤ１３は、種々の環境で点灯させることができるように、ＡＣ／ＤＣアダプタ、乾電池、ＵＳＢケーブルの３種の電源方式を採用すると便宜である。
【００３０】
また、複数のＬＥＤ１３を１系統の配線で点灯させるのに代えて、例えば、１つおきに２系統の配線で構成することもできる。これにより、ＬＥＤを１つおきに点灯させたり、すべて同時に点灯させたりすることができる。
【００３１】
また、ベース部材１０の裏面上方に、壁から突出されたフックに引っ掛けるための透孔（不図示）を設けておけば、照明付き卓上鏡１を壁にかけた上体で使用することも可能である。
【００３２】
図６に、上述とは異なる、ベース部材１０Ａに対する鏡枠１２Ａの取り付け構造を示す。図６（ａ），（ｂ），（ｃ），（ｄ）に示すように、ベース部材１０Ａ側には、環状の止め具４０を設ける。一方、鏡枠１２Ａ側には、保持具４１を取り付け、この保持具４１によってばね部材４２を保持する。ばね部材４２を縮めてこの止め具４０に通し、その後、ばね部材４２を広げることにより、止め具４０にばね部材４２を係合させて、ベース部材１０Ａに鏡枠１２Ａを取り付けることができる。鏡枠１２Ａを取り外す際には、強い力で鏡枠１２Ａを手前に引けば、ばね部材４２が止め具４０に倣って縮むため、止め具４０に対するばね部材４２の係合を解除して、鏡枠１２Ａをベース部材１０Ａから簡単に取り外すことができる。
【００３３】
図７に、さらに別の、ベース部材１０Ｂに対する鏡枠１２Ｂの取り付け構造を示す。ベース部材１０Ｂ側には、４隅（図７中矢印部分）にボルト（不図示）が手前側に向けて突設されている。一方、鏡枠１２Ｂには、４隅に透孔４３が穿設されている。鏡枠１２Ｂをベース部材１０Ｂに取り付ける際には、ベース部材１０Ｂの４つのボルトに、鏡枠１２Ｂの４つの透孔４３を差し入れ、ボルトに対して正面側からナット（不図示）を締め付ける。これにより、鏡枠１２Ｂの取り付けを行うことができる。取り外しは、この逆の工程で行うことができる。
【００３４】
図２に示すＬＥＤカバー２０の裏面には、図８の拡大図に示すように、複数の四角錐状の凸部４４を有する導光板４５を設けるようにしてもよい。この場合には、ＬＥＤから発生された光を、この導光板４５によって拡散させることができるので、顔を一層満遍なく照射することができる。
【００３５】
図９（ａ），（ｂ）に示すように、図１，図２に示すスタンド２７に代えて、スタンド４６を取り付けるようにしてもよい。スタンド４６は、「コ」字形に形成されていて、先端には透孔４７が穿設されている。この透孔４７にボルト４８を貫通させてその先端を、ベース部材１０に埋め込まれているインサートナット４９に螺合させる。ボルト４８を緩めた後、スタンド４６の角度を調整し、その後、ボルト４８を示すことで、ベース部材１０を任意の角度に角度調整することができる。
【図面の簡単な説明】
【００３６】
【図１】照明付き卓上鏡を載置面に載置した状態を示す斜視図である。
【図２】（ａ）は、照明付き卓上鏡の正面図、（ｂ）は、照明付き卓上鏡の右側面図である
【図３】ベース部材に鏡を装着するようすを説明する斜視図である。
【図４】ベース部材に鏡枠を取り付けて、鏡を固定するようすを説明する斜視図である。
【図５】（ａ），（ｂ）は、ＬＥＤ１３を説明する図である。
【図６】（ａ）〜（ｄ）は、鏡枠を着脱するための他の構成を説明する斜視図である。
【図７】鏡枠を着脱するためのさらに別の構成を説明する斜視図である。
【図８】ＬＥＤカバーの裏面に設けた導光板の拡大図である。
【図９】（ａ）は別のスタンドの分解斜視図であり、（ｂ）はこのスタンドをベース部材に取り付けた上体を説明する斜視図である。
【符号の説明】
【００３７】
１          照明付き卓上鏡
１０        ベース部材
１１        鏡
１２        鏡枠
１３        ＬＥＤ（点光源，照明具）
２１        装着部
２６        ダイヤル（調整機構）
２７        スタンド
４５        導光板
【図１】
0003128223.tif 000003
【図２】
0003128223.tif 000004
【図３】
0003128223.tif 000005
【図４】
0003128223.tif 000006
【図５】
0003128223.tif 000007
【図６】
0003128223.tif 000008
【図７】
0003128223.tif 000009
【図８】
0003128223.tif 000010
【図９】
0003128223.tif 000011